(57)【要約】      （修正有）【課題】迅速かつ正確にＲＦＩＤタグを読み取るだけでなく、消費電力も節約することができる、照準機能を持つ極超短波帯無線周波数識別リーダを提供する。【解決手段】照準機能を持つ極超短波帯（ＵＨＦ）無線周波数識別（ＲＦＩＤ）リーダ２０は、ＲＦタグを読み取るために使われるものであって、主にＲＦアンテナ２０２と、コントローラ２０１とからなる。ＲＦアンテナ２０２本体に照準部２０２１が形成してある。ＲＦＩＤタグを読みたい時、ユーザはまず、視覚の方法でＲＦアンテナ２０２の照準部２０２１を遠隔地でのＲＦタグに照準することにより、ＲＦアンテナ２０２がＲＦＩＤタグの読み取る作業を迅速かつ正確的に実行する。よって、読み取り正確度と効率を向上させることができる。【選択図】図２
0003194396.tif 000002
【実用新案登録請求の範囲】
【請求項１】
無線周波数識別（ＲＦＩＤ）タグを読み取るために用いる照準機能を持つ極超短波帯（ＵＨＦ）無線周波数識別（ＲＦＩＤ）リーダであって、
マイクロプロセッサを有するコントローラと、
前記コントローラの一端部に組み立てられ、照準部を有し、前記マイクロプロセッサと電気的に接続されるとともに、情報的にも連結されるＲＦアンテナとを具備し、
ユ−ザが前記コントローラを手で把持し、視線と、前記照準部と、前記無線周波数識別タグとが一本の見える直線になるように、前記視線を前記ＲＦアンテナの前記照準部に合わせ、その後に、前記コントローラを操作することによって、前記マイクロプロセッサが、前記ＲＦアンテナを駆動してＵＨＦ帯の無線電波を前記無線周波数識別タグに放射し、かつ前記無線周波数識別タグから応答された識別信号を受信することにより、前記無線周波数識別タグを迅速的に照準する機能を達成することを特徴とする照準機能を持つ極超短波帯（ＵＨＦ）無線周波数識別（ＲＦＩＤ）リーダ。
【請求項２】
前記コントローラの上部に設けられ、方向指示光源として機能する指向性発光素子をさらに具備し、これにより、暗い環境や夜間でも前記指向性発光素子を通じて前記無線周波数識別タグを迅速的に照準することができることを特徴とする請求項１記載の照準機能を持つ極超短波帯（ＵＨＦ）無線周波数識別（ＲＦＩＤ）リーダ。
【請求項３】
前記照準部は、円形の孔、十字形の孔、または菱形の孔のいずれかであることを特徴とする請求項１または２記載の照準機能を持つ極超短波帯（ＵＨＦ）無線周波数識別（ＲＦＩＤ）リーダ。
【考案の詳細な説明】
【技術分野】
【０００１】
本考案は、照準機能を持つ極超短波帯（ＵＨＦ）無線周波数識別（ＲＦＩＤ）リーダに係わり、特に、照準部を持つＲＦアンテナでＲＦタグの読み取りを迅速的に達成できる照準機能を持つ極超短波帯（ＵＨＦ）無線周波数識別（ＲＦＩＤ）リーダに関する。
【背景技術】
【０００２】
無線周波数識別（ＲＦＩＤ）は、非接触無線通信分野で幅広く応用される技術である。これを実施する場合、ＲＦＩＤは、通常少なくとも一つのＲＦＩＤリーダと、複数のＲＦＩＤタグとの組合わせで実行される。ＲＦＩＤは高いデータの安全性、再利用可能、良好な浸透性、速い読み取り速度という利点があるので、次第に従来のバーコード識別を置き換え、ヘルスケア、ロジスティック、個人の身分識別などのような日常生活で大幅に使用されている。
【０００３】
図１は従来のＵＨＦ  ＲＦＩＤリーダを示す。そのＲＦアンテナ周波数帯域の範囲は８６５〜９６０ＭＨｚで、有効検出距離は１〜１０ｍである。この設計の目的としては、操作性と使用性が容易になるように、検出距離を延長することにある。
【考案の概要】
【考案が解決しようとする課題】
【０００４】
しかし、ＲＦアンテナによって放射された電波は指向性電波であるため、電波がＲＦアンテナから遠い所に離れるほど、電波が狭くなる程度がますますひどくなる。従って、ユーザがＲＦアンテナで遠方のＲＦＩＤタグ１１を狙わなければ、検知に失敗する場合が多発する。そのゆえ、遠方のＲＦＩＤタグ１１を照準するために、ユーザがＵＨＦ  ＲＦＩＤリーダ１０の位置を絶えず変更する必要があることが一般的である。これは、多くの場合、その全体的な作業に大きな不便を引き起こす。また、繰り返し電波の送受信の過程で、ＵＨＦ  ＲＦＩＤリーダ１０の電力が急速に消費されてしまう。
【課題を解決するための手段】
【０００５】
そこで、上記の問題と要望に鑑み、本考案の主な目的は、迅速かつ正確にＲＦＩＤタグを読み取るだけでなく、消費電力も節約することができる照準機能を持つ極超短波帯無線周波数識別リーダを提供することにある。
【０００６】
上記目的を達成するために、本考案の照準機能を持つＵＨＦ  ＲＦＩＤリーダは、ＲＦアンテナ及びコントローラからなり、ＲＦアンテナがコントローラの先端に設けられる。また、ＲＦアンテナ本体に照準部が形成されてあり、ユーザは本考案の照準機能を持つＵＨＦ  ＲＦＩＤリーダで遠隔地でのＲＦＩＤタグを読みたい場合、先に視力でＲＦアンテナの照準部を遠隔地でのＲＦＩＤタグに照準することにより、ユーザの視線と、照準部と、ＲＦＩＤタグとを一本の直線で整列する。そして、コントローラはＲＦアンテナを作動して電波を放射すると、遠隔地でのＲＦＩＤタグを迅速的に検出することができる。
【０００７】
本考案の照準機能を持つＵＨＦ  ＲＦＩＤリーダによれば、ＲＦＩＤタグについての迅速な照準と正確な検出を可能にするので、先行技術のＵＨＦ  ＲＦＩＤリーダのようなＲＦＩＤタグに不照準の問題を解決することができるとともに、ＲＦＩＤタグを照準した後の読み取る作業は電力の有効利用も可能にさせる。
【考案の効果】
【０００８】
本考案の照準機能を持つＵＨＦ  ＲＦＩＤリーダによれば、ＲＦアンテナ本体に照準部が形成してあるので、ユーザが先に視力でＲＦアンテナの照準部をＲＦＩＤタグに照準することにより、ユーザの視線と、照準部と、ＲＦＩＤタグとを一本の直線で整列する。そして、コントローラはＲＦアンテナを作動して電波を放射すると、遠隔地でのＲＦＩＤタグを迅速的に検出することができる。これにより、ＲＦＩＤタグについての迅速な照準と正確な検出が可能になるとともに、ＲＦＩＤタグを照準した後に読み取る作業は電力の有効利用も可能にする。
【図面の簡単な説明】
【０００９】
【図１】図１は、従来のＵＨＦ  ＲＦＩＤリーダの斜視図である。
【図２】図２は、本考案の照準機能を持つＵＨＦ  ＲＦＩＤリーダの外観の斜視図である。
【図３】図３は、本考案の照準機能を持つＵＨＦ  ＲＦＩＤリーダの電気構成のブロック図である。
【図４】図４は、本考案の照準機能を持つＵＨＦ  ＲＦＩＤリーダの実施の概略図である。
【図５】図５は、本考案の別の照準機能を持つＵＨＦ  ＲＦＩＤリーダの外観の斜視概略図である。
【考案を実施するための形態】
【００１０】
以下、図面を用いて本考案の照準機能を持つＵＨＦ  ＲＦＩＤリーダをより詳しく説明する。
【００１１】
図２は本考案の照準機能を持つＵＨＦ  ＲＦＩＤリーダの斜視外観図；図３は、本考案の照準機能を持つＵＨＦ  ＲＦＩＤリーダの電気構成のブロック図；図４は、本考案の照準機能を持つＵＨＦ  ＲＦＩＤリーダの実施の概略図；図５は、本考案の照準機能を持つＵＨＦ  ＲＦＩＤリーダの外観の別の概略図である。
【００１２】
図２に示すように、本考案の照準機能を持つＵＨＦ  ＲＦＩＤリーダ２０は主にコントローラ２０１とＲＦアンテナ２０２とからなる。また、ＲＦアンテナ２０２の本体は、貫通孔を有し、かつ銃の照準器のような照準部２０２１を形成してある。または、照準部２０２１は十字形状の孔或いは菱形状の孔でもよいが、本考案はこれらに限定しない。
【００１３】
また、ＲＦアンテナ２０２はコントローラ２０１の一端部に設けられ、さらにコントローラ２０１へと電気的に接続されとともに、情報的にも連結されてある。コントローラ２０１は表示画面２０１４を有し、さらに少なくとも一つの操作キー２０１６を具備する。これらにより、ユーザがキー２０１６を操作することにより、相関情報を表示画面２０１４に表示する。従って、コントローラ２０１はユーザによって操作られると、ＲＦアンテナ２０２が駆動されて無線電波を放射し、これにより遠隔地にあるＲＦＩＤタグの検知を行う。なお、ＲＦアンテナ２０２の外観は一般の応用上に円形が好ましいが、多角形または不規則な形でもよい。
【００１４】
図３及び図４に示すように、本考案の照準機能を持つＵＨＦ  ＲＦＩＤリーダ２０によれば、コントローラ２０１は、マイクロプロセッサ２０１１と、ＲＦ信号処理部２０１２と、メモリモジュール２０１３と、表示画面２０１４と、電源モジュール２０１５と、操作キー２０１６と、指向性発光素子２０１７とを具備してある。ＲＦアンテナ２０２は、ＲＦ信号処理部２０１２と電気的に結合される。また、ＲＦ信号処理部２０１２、メモリモジュール２０１３、表示画面２０１４、電源モジュール２０１５、操作キー２０１６、指向性発光素子２０１７は、それぞれマイクロプロセッサ２０１１と電気的に結合される。また、ＲＦアンテナ２０２の役割は、無線電波の送受信を行うこと（即ち、電波Ｓ１を送信すると電波Ｓ２を受信する）である。また、ＲＦ信号処理部２０１２は、ＲＦアンテナ２０２を作動して電波を放射することを担当する。そして、電源モジュール２０１５は、各モジュールに必要な電力を提供するものである。ＲＦアンテナ２０２が電波Ｓ１を送信した後に、ＲＦＩＤタグ２１は、電波Ｓ１のエネルギーで駆動され、電波Ｓ１に応答して識別信号Ｓ２を放射する。そして、この識別信号Ｓ２はＲＦアンテナ２０２によって受信され、さらにＲＦ信号処理部２０１２によって処理された後に、また復号化を実行するように、マイクロプロセッサ２０１１へ転送される。復号化された情報はメモリモジュール２０１３に格納されるとともに、コントローラ２０１の表示画面２０１４にも表示される。
【００１５】
図４及び図３を参照すると、ユ−ザは本考案の照準機能を持つＵＨＦ  ＲＦＩＤリーダ２０で遠隔地でのＲＦＩＤタグ２１を読みたい時、単にコントローラ２０１を自分の手で把握し、次に自分の視線をＲＦアンテナ２０２の照準部２０２１と合わせる。その後、視線と、照準部２０２１と、ＲＦＩＤタグ２１とを一本の見える直線になるように、自分の視線を遠隔地のＲＦＩＤタグ２１までさらに延長する。このように、遠隔地でのＲＦＩＤタグ２１に対して速やかに照準する効果を得ることができる。また、この時点で、コントローラ２０１はＲＦアンテナ２０２を介して無線電波Ｓ１を送信するように、ユ−ザがさらにコントローラ２０１の操作キー２０１６を操作する（図３、４の信号Ｓ１）。これにより、迅速な照準と正確なＲＦＩＤタグ２１の読み取りを有効的に達成することができる。
【００１６】
図５に示すように、ＲＦアンテナ２０２はコントローラ２０１の端部に設けられるとともに、ＲＦアンテナ２０２はまた照準部２０２１を成形してある。また、指向性発光素子２０１７（例えば、レーザ  ダイオード）を方向指示光源として機能させるように、コントローラ２０１の上に設けてある。暗い環境や夜間でコントローラ２０１を操作する時、ユーザがこの指向性発光素子２０１７を通じて速やかにＲＦＩＤタグ２１を照準することができる。
【００１７】
上記に基づき、本考案の照準機能を持つＵＨＦ  ＲＦＩＤリーダは、コントローラの先端に設けてあるＲＦアンテナを介して無線電波をＲＦＩＤタグに送信することにより、ＲＦＩＤタグの応答で識別信号をＲＦアンテナを介して受信する。これにより、読み取る過程が完了する。本考案の照準機能を持つＵＨＦ  ＲＦＩＤリーダは、ＲＦアンテナ本体に照準部を設けてあるので、ユーザは遠隔地でコントローラを操作しても、ＲＦアンテナが電波を放射する前に照準部で遠隔地にあるＲＦＩＤタグを正確に狙えるから、ＲＦＩＤタグの読み取る作業はより正確になる。上記の述べた通りで明らかになるように、本考案の照準機能を持つＵＨＦ  ＲＦＩＤリーダは、ＲＦＩＤタグを迅速かつ正確的に照準することができるので、絶えず照準機能を持つＵＨＦ  ＲＦＩＤリーダを作動することが不要である。そして、必要でない電力消費を低減することができる。上記を要約することで分かるように、本考案は、上記の通りによって操作を実行すれば、確実に迅速かつ正確的にＲＦＩＤタグを読み取って、かつ消費電力も節約することができる照準機能を持つＵＨＦ  ＲＦＩＤリーダを提供する目的を達成することができる。
【００１８】
但し、前記の内容は本考案の好ましい実施態様であり、本考案の実施範囲を制限することはない。当考案の主旨と範囲を逸脱しない下に、この技術分野に精通する者によって行われた変更及び修正は、全て当考案の特許請求の範囲内に含まれるべきである。
【産業上の利用可能性】
【００１９】
本考案によれば、照準部をＲＦアンテナに成形してあるので、たとえＲＦＩＤタグが遠隔地に位置しても、ＲＦアンテナが迅速かつ正確的にＲＦＩＤタグを目指してすぐ無線電波をＲＦＩＤタグに放射することができるので、すぐＲＦＩＤタグを検出することができる。また、常にＵＨＦ  ＲＦＩＤリーダを作動することが不要であるので、不必要な電力消費を低減することもできる。
【符号の説明】
【００２０】
２０      ：ＵＨＦ  ＲＦＩＤリーダ
２０１    ：コントローラ
２０２    ：ＲＦアンテナ
２０２１  ：照準部
２０１１  ：マイクロプロセッサ
２０１２  ：ＲＦ信号処理部
２０１３  ：メモリモジュール
２０１４  ：表示画面
２０１５  ：電源モジュール
２０１６  ：操作キー
２０１７  ：指向性発光素子
２１      ：ＲＦＩＤタグ
Ｓ１        ：送信された電波
Ｓ２        ：受信された電波
【図１】
0003194396.tif 000003
【図２】
0003194396.tif 000004
【図３】
0003194396.tif 000005
【図４】
0003194396.tif 000006
【図５】
0003194396.tif 000007